(57)【要約】      （修正有）【課題】簡単に略密閉でき、緊急時の避難に時間がかからず、計量で取り扱いやすい避難カプセルを提供する。【解決手段】避難カプセル１００は、下部に内部の液体を外部に排出するポンプ３２を設けた下半球体２と、下半球体の上方に装着されて全体を球体とすると共に、半透明の外半球体と内半球体とを重ねた二層構造であり且つ外半球体と内半球体との間に緩衝材を介在させた上半球体１とを有する。すぐに球体にできるため緊急時に対応できる。また、上半球体１と下半球体２とを重ねることでコンパクトになるので収納に便利である。更に、緩衝材により緩衝効果が得られることから外半球体および内半球体の厚さを小さくできるので、全体が軽量になり取り扱い易いものとなる。【選択図】図１
0003225752.tif 000002
【実用新案登録請求の範囲】
【請求項１】
下部に内部の液体を外部に排出するポンプを設けた下半球体と、
当該下半球体の上方に装着されて全体を球体とすると共に、半透明の外半球体と内半球体とを重ねた二層構造であり且つ外半球体と内半球体との間に緩衝材を介在させた上半球体と、
を有することを特徴とする避難カプセル。
【請求項２】
前記上半球体の内半球体の頂部には空気穴が設けられ、前記緩衝材は前記外半球体と内半球体との間の一部に設けられていることを特徴とする請求項１に記載の避難カプセル。
【請求項３】
前記ポンプは、手動で動作するポンプであることを特徴とする請求項１または２に記載の避難カプセル。
【考案の詳細な説明】
【技術分野】
【０００１】
本考案は、台風や津波による増水の際に危険な状態から回避するための避難カプセルに関するものである。
【背景技術】
【０００２】
従来から特許文献１に記載されているような救命装置が知られている。この救命装置は、全体が球体であって、分割構造の円形カプセル体と、上部カプセル体、下部カプセル体および中間カプセル体を固定するカプセル固定手段と、ウェイト均衡手段及び座席を有するものである。また、前記円形カプセル体には透明窓と、非常空気流入手段等が設けられる。
【０００３】
この救命装置では、中に人が入ってカプセル固定手段により分離したカプセルを互いに固定し、内部を密閉状態にして津波などの災害から身を守る。
【先行技術文献】
【特許文献】
【０００４】
【特許文献１】特表２０１３−５３２０８９号公報
【考案の概要】
【考案が解決しようとする課題】
【０００５】
しかしながら、従来の救命装置では、カプセル体が大きく且つ厚さがあるために取り扱いに不便であり、実際に災害が起きた際の緊急時に避難に時間がかかってしまう。また、大きすぎるために平時の収納に困る。本考案は、係る問題点を解決するためになされたものである。
【課題を解決するための手段】
【０００６】
本考案に係る避難カプセルは、下部に内部の液体を外部に排出するポンプを設けた下半球体と、当該下半球体の上方に装着されて全体を球体とすると共に、半透明の外半球体と内半球体とを重ねた二層構造であり且つ外半球体と内半球体との間に緩衝材を介在させた上半球体とを有することを特徴とする。
【０００７】
係る構成において、前記上半球体の内半球体の頂部には空気穴が設けられ、前記緩衝材は前記外半球体と内半球体との間の一部に設けるのが好ましい。また、前記ポンプは、手動で動作するポンプとするのが好ましい。
【図面の簡単な説明】
【０００８】
【図１】本考案の実施の形態に係る避難カプセルを示す正面構成図である。
【図２】図１に示した避難カプセルの側面構成図である。
【図３】外半球体を示す平面図である。
【図４】内半球体を示す平面図である。
【図５】下半球体を示す平面図である。
【図６】下半球体を示す断面図である。
【図７】避難カプセルの使用方法を示す説明図である。
【図８】本考案の他の実施の形態に係る避難カプセルを示す構成図である。
【図９】図５中前方向の上半球体と下半球体との位置関係を示す拡大図である。
【図１０】避難カプセルの収納状態を示す説明図である。
【図１１】本考案の他の実施の形態に係る避難カプセルを示す正面構成図である。
【考案を実施するための形態】
【０００９】
図１は、本考案の実施の形態に係る避難カプセルを示す正面構成図である。図２は、図１に示した避難カプセルの側面構成図である。この避難カプセル１００は、球体をしたカプセル本体が上半球体１と下半球体２に二分割された構成である。球体の直径は、７００ｍｍ以上１３００ｍｍ以下が好ましい。特に、直径が９１０ｍｍ以下であれば、一般的な押し入れに収納可能である。このため平時の収納場所に困ることはない。
【００１０】
上半球体１は、アクリル製の外半球体３および内半球体４からなる二層構造であり半透明である。半透明とすることで内部に人が入っていることが確認できるが、詳細までは見えない。このため、人の有無の確認とプライバシーを両立できる。なお、上半球体１の外半球体３又は内半球体４の一方が透明で他方が半透明であっても良い。図３は、外半球体を示す平面図である。図４は、内半球体を示す平面図である。内半球体４と外半球体３との間には、半球の頂点を中心として放射状に複数の帯状のゲルシート５が設けられる。
【００１１】
前記ゲルシート５は、透明または半透明のものを使用する。厚さは５ｍｍ以上２０ｍｍ以下とするのが好ましい。ゲルシート５は、外部の衝撃を緩和すると共に内部で人が壁面にぶつかった際にもその衝撃を吸収する。また、ゲルシート５を帯状にすることで、ゲルシート５が設けられていない部分では外半球体３と内半球体４との間に空隙ができるため、より緩衝効果が高くなる。更に、この空隙は後述する空気の通路として機能する。更に、ゲルシート５を介在させることで上記のような緩衝効果が得られることから、外半球体３および内半球体４の厚さを小さくできるので、全体が軽量になり取り扱い易いものとなる。
【００１２】
また、放射状に設ける帯状ゲルシート５の長さは、一部でゲルシート５の専有面積が大きくなりすぎないように、図４に示すように、長さを規則的に変えて周方向に交互に用いる。具体的には、長いゲルシート５を６０度間隔で、中位のゲルシート５を長いゲルシート５に対して３０度ずらして６０度間隔で、短いゲルシート５を長いものと中位のものの間に入るように３０度間隔で配置する。これによりゲルシート５の専有面積が比較的一定となり、緩衝性能が部位で偏在したり、視界を妨げたり、重量がバランスしないことを防止できる。
【００１３】
また、上半球体１の内半球体４の頂部には、空気穴６が設けられる。外半球体３には空気穴６を設けない。空気穴６は、外半球体３及び内半球体４の間のゲルシート５を設けていない部分を通路として半球体端縁と連通する。上半球体１の端縁は、避難カプセル１００が水面上で傾いて一部の端縁が浸水しても、他の端縁は水面上に位置することになるので、空気の導入が阻害されない。
【００１４】
下半球体２は、不透明のアクリル樹脂からなる。図５は、下半球体を示す平面図である。下半球体２は、厚さは上半球体１の各層の３倍程度とし高強度を保つようにする。底面には、直径方向に３つに区画されており、中央区画３１には内部の液体を外部に排出するポンプ３２が設けられる。左右区画３３には収納ボックス３４が設けられる。収納ボックス３４には生命維持に必要最小限のものが収納される。収納ボックス３４は、防水機能を有する構造とする。
【００１５】
ポンプ３２は、ダイヤフラムポンプである。電源不要でレバーの動作により液体を移送できる。ポンプ３２の取水口は中央区画３１内に開口しており、ポンプ３２の吐出口は下半球体２の外に開口している。これにより、中央区画３１内の液体を避難カプセル１００の外に移送する。例えば汚水を外部に出すことができる。当該ポンプ３２は、レバーを引いてダイヤフラムを動かすことで作動する。また、重量物であるポンプ３２を半球体の下部に配置することで重心が下がって水上で姿勢が安定する。なお、内部の空気をポンプ３２で排出することで前記空気穴６から新鮮な空気を導入できる。
【００１６】
ポンプ３２の上部にはユーザが座る床板４０が配置される。床板４０の一部は前記各区画３１，３３につながる開口４１を備え、通常は蓋４２が設けられる。更に、収納ボックス３４の上部にも内部を気密に保つ蓋が設けられる。床板４０は、木材等の水に浮く素材を用いるのが好ましい。木材又は中空の樹脂プレートから構成するのが良い。このようにすれば、軽量であるため全体重量の増加を抑制すると共に、避難カプセル１００が全壊したしたときでも浮きとして機能する。
【００１７】
下半球体２の周縁近傍には複数の緊急空気穴４２が設けられる。この緊急空気穴４２は通常はフランジ付きスクリュープラグで閉じている。内部で空気に不足が生じた場合は、フランジをつまんで回し、当該緊急空気穴４２を開口する。
【００１８】
下半球体２の内面には、図６の断面図（ポンプ３２等は図示省略）に示すように、緩衝材タフボード（押出ポリエチレン積層板）からなる緩衝材４３が一面に貼着される。これにより衝撃緩和と浸水防止がなされる。
【００１９】
固定手段は、３箇所に設けた錠構造からなる。各錠構造３０，３１は、平面視で周方向９０度間隔で設けられる。図５中左右方向に設けた鍵構造３０は、図７に示すように、上半球体１の端縁近傍にボルト３１がその軸３２を内側に向けて設けられている。このボルト３１は、下半球体２に設けた長穴３３を貫通し、ナット３４で固定される。またボルト３１は、フック構造の金具であるキーパー３５の穴を貫通し、前記ナット３４により固定される。また、ボルト３１と前記長穴３３とは相対移動状態になるように、前記ナット３４を固定する。下半球体２の端縁近傍の内側にはキャッチクリップ３８が設けられる。長穴３３内をボルト３１の軸３２が相対移動できるようにすることで、上半球体１の下半球体２に対する回転を容易にすると共にボルト３１に阻害されず前記上半球体１と下半球体２とを閉じることができる。
【００２０】
上半球体１は、鍵構造３０により下半球体２に対して直径方向の２点で回転可能に支持されることになる。また、下半球体２の外径は上半球体１の内径より小さい。このため、上半球体１は、下半球体２に対して上半球体１がボルト３１の軸３２を中心に回転可能になり、この結果、上半球体１が扉として開閉可能になる。
【００２１】
図５中後方向に設けた錠構造３１は、図８に示すように、上半球体１の端縁近傍に設けた内側に突出したストッパー３６と、このストッパー３６に設けたキーパー３７とを有する。前記ストッパー３６は、上半球体１を回転させたときに下半球体２に干渉するだけの高さを有する。また、下半球体２の端縁近傍の内側にはキャッチクリップ３８が設けられる。
【００２２】
図９は、図５中前方向の上半球体と下半球体との位置関係を示す拡大図である。また、図９は、図２のＡ部拡大図でもある。
【００２３】
次に、この避難カプセル１００の使用方法について説明する。収納時は、上半球体１を前記鍵構造３０のボルト３１を軸にして回転させ、図１０に示すように、上半球体１と下半球体２が重なるようにする。これにより、避難カプセル１００を簡単に小さくまとめることができる。更に、全体を半球状にまとめた場合、更に別の避難カプセル１００を重ねて収納できる。このため、収納スペースを更に削減できる。更に、避難カプセル１００の本体が押し入れ等に収納しやすい寸法であるため収納場所に困ることはない。
【００２４】
次に、避難カプセル１００を使用する際は、収納場所から取り出して床面に避難カプセル１００を置く。このとき、下側にポンプ等の重量物が配置されているため、姿勢が安定する。上半球体１を半分回転させて内部に入れる状態とし、下半球体２の中に入ったらそのまま上半球体１を回転させて閉じる。回転させると上半球体１の端縁のストッパー３６が下半球体２の端縁に干渉して回転が停止する。この状態で、鍵構造３１のキャッチクリップ３８をキーパー３７に引っ掛けてクリップのレバーを起こして固定する。同様に、左右方向の鍵構造３０のキャッチクリップ３８もキーパー３５に引っ掛けてレバーを起こす。これにより、上半球体１が下半球体２に対して固定され、避難カプセル１００内が略密閉される。
【００２５】
このように避難カプセル１００は、簡単に内部に入って内部空間を略密閉できるので、緊急時に対応に時間がかからない。また、この状態で水面に浮くことができるのでユーザがおぼれることがなく、濡れずに内部にとどまることで危険から身を守る。更に、ゲルシート５や緩衝材４３を用いて補強しているので、上半球体１及び下半球体２の板厚を大きくする必要がないため、軽量で取り扱いやすいものとなる。
【００２６】
更に、図１１に示すように、下半球体２には位置情報を発信する位置情報発信手段６０を設けても良い。例えば、位置情報発信手段６０としてＧＰＳ発信機を設け、図示しないモバイルバッテリーで動かす。ＧＰＳ発信機であれば通信インフラが生きている場合、その場所を離れた場所でスマートフォン等の携帯情報端末により確認できる。また、内部にスピーカーやベル等の報知手段６０を設けても良い。このようにすれば、物陰に隠れていても避難カプセル１００を音を頼りにして発見できる。報知手段６０であれば、通信インフラが機能していない状態でも第三者に自分の場所を知らせることができる。
【符号の説明】
【００２７】
１００  避難カプセル
１  上半球体
２  下半球体
３  外半球体
４  内半球体
５  ゲルシート
６  空気穴
【図１】
0003225752.tif 000003
【図２】
0003225752.tif 000004
【図３】
0003225752.tif 000005
【図４】
0003225752.tif 000006
【図５】
0003225752.tif 000007
【図６】
0003225752.tif 000008
【図７】
0003225752.tif 000009
【図８】
0003225752.tif 000010
【図９】
0003225752.tif 000011
【図１０】
0003225752.tif 000012
【図１１】
0003225752.tif 000013